(57)【要約】【課題】ブラインドナットのネジ部をボルトの取付位置に接近させることにより、ブラインドナットの省スペース化を図ること等を目的とする。【解決手段】塑性変形可能な管状部と管状部の一端に形成されたフランジ部と管状部の他端側に形成されたネジ部を有する。管状部は薄肉とされ、座屈部分として利用できるようになっている。フランジには、ボルトを取り込むために、管状部の中空部分と連通する開口が設けられている。ネジ部はボルトを螺入する部分であって、ネジ部の内部には、フランジの開口や管状部の中空部分と連通するネジ穴が形成されている。ネジ穴の表面に設けたネジ切り部分に開口を通じて取り込んだボルトのネジ切り部分を対応させることによってボルトを螺合させることができる。ネジ部は、管状部よりも厚肉とされ、且つ、フランジの開口に近い側のネジ部の端部付近において、管状部の内壁との間に環状の隙間が形成されている。【選択図】図１
2010144901.tif 000002
【特許請求の範囲】
【請求項１】
塑性変形可能な管状部と、該管状部の一端に形成されたフランジ部と、該フランジとは反対側の前記管状部の他端側に形成されたネジ部を有するブラインドナットであって、
前記管状部は薄肉とされ、座屈部分として利用できるようになっており、
前記フランジには、前記ブラインドナットにネジ止めされるボルトを取り込むために、前記管状部の中空部分と連通する開口が設けられており、
前記ネジ部は、前記ボルトを螺入する部分であって、前記ネジ部の内部には、前記フランジの開口や前記管状部の中空部分と連通するネジ穴が形成されており、該ネジ穴の表面に設けたネジ切り部分に前記開口を通じて取り込んだ前記ボルトのネジ切り部分を対応させることによって前記ボルトを螺合させることができるようになっており、
前記ネジ部は、前記管状部よりも厚肉とされ、且つ、前記フランジの開口に近い側の前記ネジ部の端部付近において、前記管状部の内壁と前記ネジ部の外壁との間に環状の隙間が形成されていることを特徴とするブラインドナット。
【請求項２】
前記ブラインドナットは一体成形されている請求項１に記載のブラインドナット。
【請求項３】
前記ネジ部は、前記フランジの開口に向かって先細となるように形成されている請求項１又は２に記載のブラインドナット。
【請求項４】
前記隙間は、前記フランジの開口に近い側において、前記フランジの開口から遠い側よりも大きく設定されている請求項３に記載のブラインドナット。
【発明の詳細な説明】
【技術分野】
【０００１】
本発明は、ブラインドナット、更に言えば、片側締結タイプのブラインドナットに関する。
【背景技術】
【０００２】
例えば、特開２００４−１１８７６号公報や特開２００４−２１１８２６号に、従来の片側締結タイプのブラインドナットの一例が示されている。図３、図４を参照して、これらの従来例におけるブラインドナットの構造、及び、これらの従来例におけるブラインドナットの被取付部材への締結方法を簡単に説明する。
【０００３】
図３は、従来のブラインドナット５０の締結前の状態を示す断面図、図４は、締結後の状態を示す断面図である。ブラインドナット５０は、塑性変形可能な管状部５５と、管状部５５の一端に形成されたフランジ部５７と、更に、フランジ５７とは反対側の管状部５５の他端に形成されたネジ部５３から成る。
【０００４】
実際の使用時には、ブラインドナット５０は、被取付部材１０に予め締結した状態で使用する。予め締結した、この被取付部材１０に対して、ブラインドナット５０とボルト７０を利用して他の部材が取り付けられる。ブラインドナット５０の管状部５５は、薄肉且つ中空とされており、被締結部材１０への予めの締結時に座屈部分６６として利用できるようになっている。
【０００５】
フランジ５７には、管状部５５の中空部分５８と連通する開口５６が設けられており、この開口５６を通じて、ボルト７０を中空部分５８に取り込むことができる。フランジ５７の外径は、被取付部材１０（図２参照）の取付穴１１の径より大きく設定され、これによって、ブラインドナット５０の取付穴１１からの抜け落ちを防止する。
【０００６】
ネジ部５３は、ボルト７０を螺入する部分として使用する。全体として同径円筒部とされており、内部には、フランジ５７の開口５６と連通するネジ穴５９が形成されている。ネジ穴５４の表面５４にはネジが切られており、このネジ切り部分５４に、開口５６を通じて取り込んだボルト７０のネジ切り部分７４を対応させることによって、ボルト７０を螺合させることができるようになっている。
【０００７】
ネジ部５３は、管状部５５よりも厚肉とされ、剛性が付与されている。従って、ブラインドナット５０を被取付部材１０に締結する際に、管状部５５とともに座屈されることはない。ネジ部５３の外径は、締結前の管状部５５の外径と同寸法とされており、これらの寸法は取付穴１１の径よりやや小さい。このような寸法とすることにより、ブラインドナット５０は、フランジ５７を接面させた状態で、被取付部材１０の取付穴１１に挿入され、そこに引っ掛けられた状態とされる。
【０００８】
専用工具を用いて管状部５５を座屈させ、管状部５５の座屈部分６６とフランジ５７との間で被取付部材１０を挟持することにより、ブラインドナット５０は被取付部材１０に締結される。このとき、ネジ部５３は、フランジ５７の手前付近に固定される。
【０００９】
ブラインドナットを被取付部材に締結する方法は、上記公報にも詳述されているように周知である。簡単に説明すると、先ず、専用の締結工具（図示せず）のノーズ先端をネジ部５３のネジ切り部分５４に螺合させることによって、ネジ部５３をノーズに保持する。その後、締結工具を作動させることにより、ノーズ先端のネジ部分５３をノーズ後方に強い力で引き抜いて、ネジ部５３をフランジ５７の側に強く引上げる。この結果、ネジ部５３の先端付近から強い引上げ力が加わり、管状部５５の薄肉の中空部分５８は被取付部材１０の裏面において膨径するように塑性変形される。これにより、図４に示すように、膨径した座屈部分６６が、被取付部材１０の裏面に隣接する部分に管状部５５の全周に渡って形成され、座屈部分６６とフランジ５７とによってブラインドナット５０は被取付部材１０に固く締結され、ネジ部５３は被取付部材１０に固着される。
【００１０】
【特許文献１】特開２００４−１１８７６号公報
【特許文献２】特開２００４−２１１８２６号
【発明の開示】
【発明が解決しようとする課題】
【００１１】
上に説明したように、被取付部材１０に対するブラインドナット５０の締結は、ネジ部５３のネジ切り部分５４を利用して行われるが、締結力に耐えるねじ強度とするには、締結工具との関係上、一般に、ネジ切り部分５４のネジ山には７山〜８山程度が必要と考えられる。この結果、ブラインドナット５０にとって、このような長さ部分（例えば、図４に示した長さ部分「ｂ」）は必須の長さ部分となる。更に、上述した取付方法によれば、構造上のスペース「ａ」が必然的に生じることとなり、ブラインドナット５０は、少なくとも、これら必須の長さ部分と構造上のスペースに対応する長さ部分の合計長さ、即ち、「ａ＋ｂ」を有することとなる。このような長いブラインドナット５０は、母材内部における他の構造物の設置を妨げ、また、装置の小型化を妨げるなど好ましいものではない。
【００１２】
更に、このような従来のブラインドナット５０の構造は、ボルトにとっても好ましい状況ではない。なぜなら、このような従来のブラインドナット５０にボルト７０を螺入するには、ボルト７０のネジ切り部分７４をブラインドナット５０のネジ切り部分５４に到達させるために、構造上のスペース「ａ」に対応する余計な長さ部分が必要となるからである。
【００１３】
本願発明は、これら従来技術における問題点を解決するためになされたものであり、ブラインドナットのネジ部をボルトの取付位置に接近させることにより、ブラインドナットの省スペース化を図るとともに、ネジ部のネジ切り部分に適合させるために無用に長いボルトとする必要をなくすことを目的とする。
【課題を解決するための手段】
【００１４】
本発明は、塑性変形可能な管状部と、該管状部の一端に形成されたフランジ部と、該フランジとは反対側の前記管状部の他端側に形成されたネジ部を有するブラインドナットであって、前記管状部は薄肉とされ、座屈部分として利用できるようになっており、前記フランジには、前記ブラインドナットにネジ止めされるボルトを取り込むために、前記管状部の中空部分と連通する開口が設けられており、前記ネジ部は、前記ボルトを螺入する部分であって、前記ネジ部の内部には、前記フランジの開口や前記管状部の中空部分と連通するネジ穴が形成されており、該ネジ穴の表面に設けたネジ切り部分に前記開口を通じて取り込んだ前記ボルトのネジ切り部分を対応させることによって前記ボルトを螺合させることができるようになっており、前記ネジ部は、前記管状部よりも厚肉とされ、且つ、前記フランジの開口に近い側の前記ネジ部の端部付近において、前記管状部の内壁と前記ネジ部の外壁との間に環状の隙間が形成されていることを特徴とするブラインドナットが提供される。
【００１５】
上記ブラインドナットにおいて、前記ブラインドナットは一体成形されているのが好ましい。
【００１６】
上記ブラインドナットにおいて、前記ネジ部は、前記フランジの開口に向かって先細となるように形成されていてもよい。
【００１７】
上記ブラインドナットにおいて、前記隙間は、前記フランジの開口に近い側において、前記フランジの開口から遠い側よりも大きく設定されていてもよい。
【発明の効果】
【００１８】
本願発明によれば、ブラインドナットの省スペース化を図り、また、ボルト長を有効利用することができる。
【発明を実施するための最良の形態】
【００１９】
以下、添付図面を参照しつつ、本発明の一つの好ましい実施形態について説明する。図１、図２は、上に説明した図３、図４にそれぞれ対応する図であって、図１は、本発明によるブラインドナット２０の締結前の状態を示す断面図、図２は、締結後の状態を示す断面図である。
【００２０】
ブラインドナット２０は、塑性変形可能な中空の管状部２５と、この管状部２５の一端に形成されたフランジ部２７と、フランジ２７とは反対側の管状部２５の他端側に形成されたネジ部２３を有する。
【００２１】
ブラインドナット２０は、塑性変形可能な材料で一体成形されている。材質として、例えば、アルミニウムやスチール等の金属を用いることができるが、塑性変形可能であれば金属に限らず他の材質であってもよい。一体成形されるため、ブラインドナットの部品が脱落するなどのおそれはない。
【００２２】
管状部２５は、他の部分に比べて薄肉である。薄肉とすることより、ブラインドナット２０を被取付部材１０に締結する際に、座屈部分３６として利用できるようになっている。管状部２５は、締結前においては大きな中空部分２８として形成されているが、締結後は、ネジ部２３によって占有された状態とされる。
【００２３】
フランジ２７には、管状部２５の中空部分２８と連通する開口２６が設けられている。ボルト４０は、この開口２６を通じてブラインドナット２０に取り込まれる。フランジ２７の外径は、被取付部材１０（図２参照）の取付穴１１の径より大きく設定されており、これによって、被取付部材１０の取付穴１１からの抜け落ちが防止される。
【００２４】
ネジ部２３は、ボルト４０を螺入する部分として使用する。全体として略円筒形状であるが、フランジ２７の開口２６に向かって盛り上げた形状をしており、また、先細として縦断面視台形形状とされている。ネジ部２３の内部には、フランジ２７の開口２６や管状部２５の中空部分２８と連通するネジ穴２９が形成されており、その表面２４にネジが切られている。このネジ切り部分２４に、開口２６を通じて取り込んだボルト４０のネジ切り部分４４を対応させることにより、ボルト４０を螺合させることができるようになっている。
【００２５】
ネジ部２３は、管状部２５よりも厚肉とされ、剛性が付与されている。従って、ブラインドナット２０を被取付部材１０に締結する際に、管状部２５とともに座屈されることはない。ネジ部２３の根元付近の最大外径は、締結前の管状部２５の外径と同寸法とされており、この寸法は取付穴１１の径よりやや小さい。このような寸法とすることにより、ブラインドナット２０は、フランジ２７を接面させた状態で、被取付部材１０の取付穴１１に挿入され、そこに引っ掛けられた状態とされ得る。一方、ネジ部２３の先端付近、言い換えれば、フランジ２７の開口２６に近い側のネジ部２３の端部付近、の最小外径は、締結前後の管状部２５の内径よりやや小さく設定し、これによって、ネジ部２３の先端付近において、管状部２５の内壁３５とネジ部２３の外壁３３との間に環状の隙間３０を形成している。ネジ部２３は、フランジ２７の開口２６に向かって先細となるように形成されているため、この隙間３０は、フランジ２７の開口２６側に向かってより大きく設定されている、更に言えば、フランジ２７の開口２６に近い側の隙間部分３０ｂは、フランジ２７の開口２６から遠い側の隙間部分３０ｂよりも大きい。
【００２６】
ブラインドナット２０を被取付部材１０に締結する際は、専用の締結工具で管状部２５を座屈させ、管状部２５の座屈部分３６とフランジ２７との間で被取付部材１０を挟持する。また、これと同時に、隙間３０を利用してネジ部２３を管状部２５の中空部分２８に入り込ませてフランジ２７側に押し上げ、フランジ２７の開口２６付近にネジ部２３を位置付けることができる。このように、ネジ部２３を管状部２５の中空部分２８、言い換えれば、ブラインドナット２０の構造上のスペース「ａ」に入り込ませることによって、ブランドナットの省スペース化を図ることができるとともに、ボルト４０が螺合されるネジ部２３をフランジ２７の開口２６付近に位置付けて、ボルトのネジ切り部分４４とネジ部２３のネジ切り部分２４を適合させるためにボルトを無用に長くする必要もなくなる。
【００２７】
尚、本発明のブラインドナット２０は、片側締結のブラインドナット全般に関するものであり、ブラインドナット２０のボデー形状やフランジ２７の形状とは無関係である。従って、ボデーは、例えば、ローレット付き、六角、四角のいずれであってもよく、また、フランジ２７の形状も、例えば、平頭、皿頭のいずれであってもよい。更に、本発明のブラインドナット２０は、ＨＢボルトのように、ボルトが組み込まれた構造の製品にも適用でき、更に、ネジ部２３の盛り上がりをより高くすることで、スペーサーナットとしても応用できる。
【図面の簡単な説明】
【００２８】
【図１】本発明によるブラインドナットの締結前の状態を示す断面図である。
【図２】本発明によるブラインドナットの締結後の状態を示す断面図である。
【図３】従来のブラインドナットの締結前の状態を示す断面図である。
【図４】従来のブラインドナットの締結後の状態を示す断面図である。
【符号の説明】
【００２９】
１０  被取付部材
１１  取付穴
２０  ブラインドナット
２３  ネジ部
２４  ネジ切り部分
２５  管状部
２６  開口
２７  フランジ
２８  中空部分
２９  ネジ穴
３０  隙間
３３  外壁
３５  内壁
３６  座屈部分
４０  ボルト
４４  ネジ切り部分
５０  ブラインドナット
【図１】
2010144901.tif 000003
【図２】
2010144901.tif 000004
【図３】
2010144901.tif 000005
【図４】
2010144901.tif 000006